(57)【要約】【課題】コストの削減と施工作業の簡素化を図る。【解決手段】各照明器具Ａｎが給電用の電源線を除く別系統の電源線と接続され、前記別系統の電源線における給電状況に応じて調光指令を無効とするように構成されるので、入口部照明全体の調光レベルを８通りに増やすことができる。しかも、調光指令の有効・無効を電源線Lpiの給電状況によって制御装置ＣＮから各照明器具Ａｎに伝達しているので、調光指令用の信号線Ls1，Ls2の他に信号線を配線する必要が無い。しかも、特許文献１記載の従来例と比較して、各照明器具Ａｎに通信インタフェースを搭載する必要が無く、且つ各照明器具Ａｎにアドレスを割り当てる作業も不要であるから、コストの削減と施工作業の簡素化を図ることができる。【選択図】        図１
2014137867.tif 000002
【特許請求の範囲】
【請求項１】
トンネル内に設置される複数の照明器具と、前記トンネルの野外輝度を測定する野外輝度計と、前記野外輝度計の測定結果に応じて前記照明器具を制御する制御装置とを有し、
前記照明器具は、複数の光源を備え、前記トンネル内に配線されている複数系統の電源線のうちの何れか１系統の前記電源線を介して給電される電力で前記複数の光源を点灯し、且つ前記トンネル内に配線されている１乃至複数系統の信号線を介して伝送される調光指令に応じて前記光源を調光するように構成され、
前記制御装置は、前記電源線を介した給電を入切し、且つ前記信号線を介して前記調光指令を伝送することにより、前記トンネル内の路面輝度を前記野外輝度に対応した適正な範囲に収めるように前記照明器具を調光制御するように構成され、
さらに前記照明器具は、給電用の前記電源線を除く別系統の前記電源線と接続され、前記別系統の電源線における給電状況に応じて前記調光指令を無効とするように構成されることを特徴とするトンネル照明システム。
【請求項２】
前記照明器具は、それぞれが１乃至複数の前記光源を点灯する複数の点灯回路部と、何れか１系統の前記電源線から複数の前記点灯回路部への給電経路を各別に開閉する複数の開閉部と、前記調光指令に応じて前記開閉部を開閉制御する開閉制御部と、前記別系統の電源線における給電状況に応じて、前記開閉制御部が前記開閉制御可能な状態と前記開閉制御が不可能な状態を択一的に切り換える切換部とを備えることを特徴とする請求項１記載のトンネル照明システム。
【発明の詳細な説明】
【技術分野】
【０００１】
本発明は、トンネルの野外輝度に応じてトンネル内に設置された複数の照明器具を制御するトンネル照明システムに関する。
【背景技術】
【０００２】
トンネル照明には、基本照明と入口部照明の２種類の照明がある。基本照明とは、トンネル全線に一定の間隔で配置される照明器具による照明であって、運転者が各設計速度毎に視距だけ離れた場所から、障害物が視認できるように平均路面輝度の値が定められている。
【０００３】
一方、昼間のようにトンネルの外の輝度(野外輝度)が高い場合、運転者の目が高い輝度に順応しているためにトンネル内が視認できない現象(ブラックホール現象)が生じる。入口部照明とは、ブラックホール現象を除去する目的で、野外輝度に応じて、トンネルの入口から所定の範囲(境界部及び移行部)に必要な路面輝度を与えるための照明である(社団法人照明学会編、オーム社発行の照明ハンドブック(第２版)  395頁−396頁参照)。
【０００４】
そして、基本照明と入口部照明を行うトンネル照明システムの従来例として、例えば、特許文献１に記載されているものがある。特許文献１記載の従来例は、トンネル内に設置された複数の照明器具と、トンネルの野外輝度に応じて照明器具を調光制御するトンネルコントローラとを備える。複数の照明器具は、伝送信号線を介してトンネルコントローラにマルチドロップ接続され、それぞれに固有のアドレスが割り当てられる。トンネルコントローラは、アドレスを指定した伝送信号を伝送することにより、複数の照明器具を個別に調光制御することができる。
【０００５】
この従来例において、トンネルコントローラは、野外輝度センサで計測される野外輝度値に応じて、境界部及び移行部に設置されている照明器具を調光制御している。
【先行技術文献】
【特許文献】
【０００６】
【特許文献１】特開２０１１−１８４６７号公報
【発明の概要】
【発明が解決しようとする課題】
【０００７】
ところで、特許文献１記載の従来例では、複数の照明器具を個別に調光制御できるというメリットがあるものの、各照明器具にトンネルコントローラとの通信インタフェースを搭載しなければならないために照明器具のコストが上昇するというデメリットもある。また、複数の照明器具に固有のアドレスを割り当てる作業が必要であるから、施工作業に手間がかかるという問題もある。
【０００８】
本発明は、上記課題に鑑みて為されたものであり、コストの削減と施工作業の簡素化を図ることを目的とする。
【課題を解決するための手段】
【０００９】
本発明のトンネル照明システムは、トンネル内に設置される複数の照明器具と、前記トンネルの野外輝度を測定する野外輝度計と、前記野外輝度計の測定結果に応じて前記照明器具を制御する制御装置とを有し、前記照明器具は、複数の光源を備え、前記トンネル内に配線されている複数系統の電源線のうちの何れか１系統の前記電源線を介して給電される電力で前記複数の光源を点灯し、且つ前記トンネル内に配線されている１乃至複数系統の信号線を介して伝送される調光指令に応じて前記光源を調光するように構成され、前記制御装置は、前記電源線を介した給電を入切し、且つ前記信号線を介して前記調光指令を伝送することにより、前記トンネル内の路面輝度を前記野外輝度に対応した適正な範囲に収めるように前記照明器具を調光制御するように構成され、さらに前記照明器具は、給電用の前記電源線を除く別系統の前記電源線と接続され、前記別系統の電源線における給電状況に応じて前記調光指令を無効とするように構成されることを特徴とする。
【００１０】
このトンネル照明システムにおいて、前記照明器具は、それぞれが１乃至複数の前記光源を点灯する複数の点灯回路部と、何れか１系統の前記電源線から複数の前記点灯回路部への給電経路を各別に開閉する複数の開閉部と、前記調光指令に応じて前記開閉部を開閉制御する開閉制御部と、前記別系統の電源線における給電状況に応じて、前記開閉制御部が前記開閉制御可能な状態と前記開閉制御が不可能な状態を択一的に切り換える切換部とを備えることが好ましい。
【発明の効果】
【００１１】
本発明のトンネル照明システムは、調光指令の有効・無効を電源線の給電状況によって制御装置から各照明器具に伝達しているので、調光指令用の信号線の他に信号線を配線する必要が無く、しかも、特許文献１記載の従来例と比較して、各照明器具に通信インタフェースを搭載する必要が無く、且つ各照明器具にアドレスを割り当てる作業も不要であるから、コストの削減と施工作業の簡素化を図ることができるという効果がある。
【図面の簡単な説明】
【００１２】
【図１】本発明に係るトンネル照明システムの実施形態を示すシステム構成図である。
【図２】同上における照明器具のブロック図である。
【図３】同上における制御装置の動作を説明するためのフローチャートである。
【図４】同上における入口部照明の制御内容を示すテーブルである。
【図５】同上における制御装置の制御処理の内容を示すテーブルである。
【発明を実施するための形態】
【００１３】
以下、本発明に係るトンネル照明システムの実施形態について、図面を参照して詳細に説明する。なお、本発明は、トンネル照明のうちの入口部照明に関する発明であり、基本照明については従来と共通で構わない。
【００１４】
本実施形態は、図１に示すようにトンネルＴＮ内に設置される複数(図示例は９台のみ)の照明器具Ａｎ(ｎ＝１，２，…)と、トンネルＴＮの野外輝度を測定する野外輝度計Ｂと、野外輝度計Ｂの測定結果に応じて照明器具Ａｎを制御する制御装置ＣＮとを有する。
【００１５】
野外輝度計Ｂは、トンネルＴＮの外に設置され、トンネルＴＮの入口(坑口)の輝度を測定し、その測定結果(輝度の測定値)を制御装置ＣＮに出力する。ただし、野外輝度計Ｂが測定結果を周波数信号(測定値に応じて周波数が変化する信号)で出力する場合においては、周波数信号を電圧信号に変換する周波数／電圧変換装置(図示せず)を介して、測定結果が制御装置ＣＮに入力される。
【００１６】
制御装置ＣＮは、従来周知のプログラマブルコントローラ(ＰＬＣ)で構成され、ラダー言語などのプログラミング言語で作成される制御用プログラムを実行することにより、後述する照明制御を実現する。ただし、プログラマブルコントローラのハードウェア構成については従来周知であるから、制御装置ＣＮの構成について、図示並びに説明を省略する。
【００１７】
トンネルＴＮ内には４系統の電源線Lp1〜Lp4と、２系統の信号線Ls1，Ls2が配線されている。そして、各電源線Lp1〜Lp4には、電源設備ＰＵから交流電力が供給(給電)される。また、電源設備ＰＵは、制御装置ＣＮから制御線Lcを介して伝送される制御信号に応じて、例えば、リモコンブレーカなどの開閉器を制御することにより、各電源線Lp1〜Lp4を介した給電を入切する機能を有している。
【００１８】
一方、信号線Ls1，Ls2は、一端が制御装置ＣＮに接続され、各照明器具Ａｎがそれぞれ並列に接続される。
【００１９】
照明器具Ａｎは、図２に示すように複数(図示例では２つ)の光源１Ａ，１Ｂ、一方の光源１Ａを点灯する点灯回路部２Ａ及び他方の光源１Ｂを点灯する点灯回路部２Ｂの他に、開閉部３Ａ，３Ｂ、開閉制御部５，６、切換部を備える。ただし、光源１及び点灯回路部２の数は２つに限定されず、３つ以上であっても構わない。
【００２０】
光源１Ａ，１Ｂは発光ダイオードで構成されるが、必要な輝度(光束)を得ることができるものであれば、高輝度放電ランプや蛍光ランプなどでも構わない。
【００２１】
点灯回路部２Ａ，２Ｂは、例えば、交流電圧・電流を直流電圧・電流に変換するＡＣ／ＤＣコンバータで構成される。点灯回路部２Ａの入力端は、常閉形のリレー接点からなる開閉部３Ａを介して、何れか１系統の電源線Lpiに接続される。同じく、点灯回路部２Ｂの入力端は、常閉形のリレー接点からなる開閉部３Ｂを介して同一の電源線Lpiに並列接続される。
【００２２】
開閉制御部５は電磁リレーからなり、一方の信号線Ls1を介して励磁電流が供給されているときに開閉部３Ａを開成(オフ)させる。同じく、開閉制御部６は電磁リレーからなり、他方の信号線Ls2を介して励磁電流が供給されているときに開閉部３Ｂを開成(オフ)させる。
【００２３】
切換部は、一方の信号線Ls1と開閉制御部５の間に挿入された常閉形のリレー接点４Ａと、他方の信号線Ls2と開閉制御部６の間に挿入された常閉形のリレー接点４Ｂと、２つのリレー接点４Ａ，４Ｂを連動して開閉する電磁リレー７とで構成される。なお、電磁リレー７は、点灯回路部２Ａ，２Ｂが接続される電源線Lpiとは別系統の電源線Lpk(k≠i)に接続され、当該電源線Lpkで給電が行われているときにリレー接点４Ａ，４Ｂを開成(オフ)させる。
【００２４】
すなわち、別系統の電源線Lpkで給電が行われていない場合、電磁リレー７が励磁されないために２つのリレー接点４Ａ，４Ｂが閉成(オン)状態を維持する。故に、信号線Ls1，Ls2に流れる励磁電流(調光指令)に応じて、開閉制御部５，６が開閉部３Ａ，３Ｂを開閉制御することができる。一方、別系統の電源線Lpkで給電が行われている場合、電磁リレー７が励磁されるために２つのリレー接点４Ａ，４Ｂが開成(オフ)状態に切り換わる。故に、信号線Ls1，Ls2に励磁電流(調光指令)が流れても開閉制御部５，６が動作しないため、開閉部３Ａ，３Ｂの開閉制御が不可能となる。
【００２５】
ここで、図１に示すシステム構成においては、トンネルＴＮの入口(図１における左端)から奥(図１における右側)に向かって照明器具Ａ１，Ａ２，…が直線状に並べて配設されている。そして、電源線Lp1に照明器具Ａ１，Ａ５，…の点灯回路部２Ａ，２Ｂが接続され、電源線Lp2に照明器具Ａ２，Ａ６，…の点灯回路部２Ａ，２Ｂが接続され、電源線Lp3に照明器具Ａ３，Ａ７，…の点灯回路部２Ａ，２Ｂが接続され、電源線Lp4に照明器具Ａ４，Ａ８，…の点灯回路部２Ａ，２Ｂが接続される。また、照明器具Ａ１，Ａ５，…の電磁リレー７が電源線Lp2に接続され、照明器具Ａ２，Ａ６，…の電磁リレー７が電源線Lp3に接続され、照明器具Ａ３，Ａ７，…の電磁リレー７が電源線Lp4に接続される。ただし、電源線Lp1には、何れの照明器具Ａｎの電磁リレー７も接続されない。
【００２６】
次に、図３〜図５を参照して、本実施形態における入口部照明の動作を説明する。図３は、制御装置ＣＮが行う入口部照明用の制御処理(制御プログラム)のフローチャートを示している。制御装置ＣＮは、野外輝度計Ｂの測定結果を定期的に取得し、取得した測定結果(野外輝度)と、記憶部(例えば、不揮発性の半導体メモリ)に記憶されている基準野外輝度との比率(野外輝度／基準野外輝度)を計算する。この比率(野外輝度比率)は、野外輝度が高いほど高くなる。さらに制御装置ＣＮは、記憶部に記憶されている野外輝度比率と点灯モードの関係(データテーブル)を参照し、算出した野外輝度比率に対応する点灯モードを決定(選択)する。
【００２７】
ここで、本実施形態では、図４に示すように８つの点灯モードＭ１〜Ｍ８が用意されている。これらの点灯モードＭ１〜Ｍ８は、入口部照明全体の調光レベルを１００％〜１２．５％までの範囲で１２．５％毎に区切ったものである。つまり、最も明るい(路面輝度が高い)点灯モードＭ１では、入口部照明を行うための全ての照明器具Ａｎが定格点灯(調光レベル１００％)で点灯される。一方、最も暗い(路面輝度が低い)点灯モードＭ８では、電源線Lp1から給電される照明器具Ａ１，Ａ５，…のみが調光レベル５０％で調光点灯され、その他の照明器具Ａ２，Ａ３，Ａ４，Ａ６，…は消灯(調光レベル０％)される。
【００２８】
図５は、各点灯モードＭ１〜Ｍ８において制御装置ＣＮが行う制御内容の詳細を示している。図５における「入力調光信号」とは、制御装置ＣＮが２系統の信号線Ls1，Ls2に励磁電流(調光指令)を流すか否かを示しており、励磁電流を流す場合は各照明器具Ａｎの開閉器５，６がオン(ＯＮ)となり、励磁電流を流さない場合は各照明器具Ａｎの開閉器５，６がオフ(OFF)となる。そして、何れか一方の開閉器５，６のみがオンのときは、２つの光源１Ａ，１Ｂの一方が点灯し且つ他方が消灯するので、調光レベルが５０％となる。また、２つの開閉器５，６が何れもオンのときは、２つの光源１Ａ，１Ｂが双方とも消灯するので、調光レベルが０％となる。さらに、２つの開閉器５，６が何れもオフのときは、２つの光源１Ａ，１Ｂが双方とも点灯するので、調光レベルが１００％となる。
【００２９】
図５における「給電状況」とは、電源設備ＰＵから各系統の電源線Lp1〜Lp4への給電の入切状況を示しており、「ＯＮ」のときに給電され、「OFF」のときは給電されない。また、「器具の調光レベル」とは、各系統の電源線Lp1〜Lp4から給電される照明器具Ａｎの調光レベルを示しており、１００％、５０％、０％(消灯)の３通りの内の何れかに該当する。
＜点灯モードＭ１を選択した場合＞
制御装置ＣＮは、４系統の電源線Lp1〜Lp4を全て給電状態(ＯＮ)とし、且つ２系統の信号線Ls1，Ls2には双方とも調光指令(励磁電流)を出力しない。その結果、全ての照明器具Ａｎが調光レベル１００％で点灯(定格点灯)する。
＜点灯モードＭ２を選択した場合＞
制御装置ＣＮは、４系統の電源線Lp1〜Lp4を全て給電状態(ＯＮ)とし、且つ何れか１系統の信号線Ls1又はLs2のみに調光指令(励磁電流)を出力する。この場合、照明器具Ａ１，Ａ２，Ａ３，Ａ５，…は、電磁リレー７に励磁電流が流れてリレー接点４Ａ，４Ｂが開成(オフ)するので、上記調光指令を無効とし、調光レベル１００％で点灯する。一方、照明器具Ａ４，Ａ８，…は、電磁リレー７が電源線Lpiに接続されていないためにリレー接点４Ａ，４Ｂが開成(オフ)せず、上記調光指令に応じて調光レベル５０％で調光点灯する。つまり、点灯モードＭ２では、４分の３の照明器具Ａ１，Ａ２，Ａ３，Ａ５，…が定格点灯し、且つ４分の１の照明器具Ａ４，Ａ８，…が調光レベル５０％で調光点灯するので、入口部照明全体の調光レベルが(１００％×３＋５０％)÷４＝８７．５％となる。
＜点灯モードＭ３を選択した場合＞
制御装置ＣＮは、３系統の電源線Lp1〜Lp3を給電状態(ＯＮ)とし、１系統の電源線Lp4を非給電状態(OFF)とし、且つ２系統の信号線Ls1，Ls2には双方とも調光指令(励磁電流)を出力しない。この場合、何れかの電源線Lp1〜Lp3から給電される照明器具Ａ１，Ａ２，Ａ３，Ａ５，…が定格点灯し、電源線Lp4から給電される照明器具Ａ４，Ａ８，…が消灯する。つまり、点灯モードＭ３では、４分の３の照明器具Ａ１，Ａ２，Ａ３，Ａ５，…が定格点灯し、且つ４分の１の照明器具Ａ４，Ａ８，…が消灯するので、入口部照明全体の調光レベルが(１００％×３＋０％)÷４＝７５．０％となる。
＜点灯モードＭ４を選択した場合＞
制御装置ＣＮは、３系統の電源線Lp1〜Lp3を給電状態(ＯＮ)とし、１系統の電源線Lp4を非給電状態(OFF)とし、且つ何れか１系統の信号線Ls1又はLs2のみに調光指令(励磁電流)を出力する。この場合、照明器具Ａ１，Ａ２，Ａ５，Ａ６，…は、電磁リレー７に励磁電流が流れてリレー接点４Ａ，４Ｂが開成(オフ)するので、上記調光指令を無効とし、調光レベル１００％で点灯する。また、電源線Lp4から給電される照明器具Ａ４，Ａ８，…が消灯する。一方、照明器具Ａ３，Ａ７，…は、電源線Lp4が非給電状態であるためにリレー接点４Ａ，４Ｂが開成(オフ)せず、上記調光指令に応じて調光レベル５０％で調光点灯する。つまり、点灯モードＭ４では、２分の１の照明器具Ａ１，Ａ２，Ａ５，Ａ６，…が定格点灯し、４分の１の照明器具Ａ４，Ａ８が消灯し、且つ４分の１の照明器具Ａ３，Ａ７，…が調光レベル５０％で調光点灯するので、入口部照明全体の調光レベルが(１００％×２＋５０％×１)÷４＝６２．５％となる。
＜点灯モードＭ５を選択した場合＞
制御装置ＣＮは、２系統の電源線Lp1，Lp2を給電状態(ＯＮ)とし、２系統の電源線Lp3，Lp4を非給電状態(OFF)とし、且つ２系統の信号線Ls1，Ls2には双方とも調光指令(励磁電流)を出力しない。この場合、電源線Lp1，Lp2から給電される照明器具Ａ１，Ａ２，，Ａ５，…が定格点灯し、電源線Lp3，Lp4から給電される照明器具Ａ３，Ａ４，Ａ７，Ａ８，…が消灯する。つまり、点灯モードＭ５では、２分の１の照明器具Ａ１，Ａ２，Ａ５，…が定格点灯し、且つ２分の１の照明器具Ａ３，Ａ４，Ａ７，Ａ８，…が消灯するので、入口部照明全体の調光レベルが(１００％×２)÷４＝５０．０％となる。
＜点灯モードＭ６を選択した場合＞
制御装置ＣＮは、２系統の電源線Lp1，Lp2を給電状態(ＯＮ)とし、２系統の電源線Lp3，Lp4を非給電状態(OFF)とし、且つ何れか１系統の信号線Ls1又はLs2のみに調光指令(励磁電流)を出力する。この場合、照明器具Ａ１，Ａ５，…は、電磁リレー７に励磁電流が流れてリレー接点４Ａ，４Ｂが開成(オフ)するので、上記調光指令を無効とし、調光レベル１００％で点灯する。また、電源線Lp3，Lp4から給電される照明器具Ａ３，Ａ４，Ａ７，Ａ８，…が消灯する。一方、照明器具Ａ２，Ａ６，…は、電源線Lp3が非給電状態であるためにリレー接点４Ａ，４Ｂが開成(オフ)せず、上記調光指令に応じて調光レベル５０％で調光点灯する。つまり、点灯モードＭ６では、４分の１の照明器具Ａ１，Ａ５，…が定格点灯し、２分の１の照明器具Ａ３，Ａ４，Ａ７，…が消灯し、且つ４分の１の照明器具Ａ２，Ａ６，…が調光レベル５０％で調光点灯するので、入口部照明全体の調光レベルが(１００％×１＋５０％×１)÷４＝３７．５％となる。
＜点灯モードＭ７を選択した場合＞
制御装置ＣＮは、１系統の電源線Lp1のみを給電状態(ＯＮ)とし、３系統の電源線Lp2〜Lp4を非給電状態(OFF)とし、且つ２系統の信号線Ls1，Ls2には双方とも調光指令(励磁電流)を出力しない。この場合、電源線Lp1から給電される照明器具Ａ１，Ａ５，…が定格点灯し、電源線Lp2〜Lp4から給電される照明器具Ａ２，Ａ３，Ａ４，Ａ６，Ａ７，…が消灯する。つまり、点灯モードＭ７では、４分の１の照明器具Ａ１，Ａ５，…が定格点灯し、且つ４分の３の照明器具Ａ２，Ａ３，Ａ４，Ａ６，Ａ７，Ａ８，…が消灯するので、入口部照明全体の調光レベルが(１００％×１)÷４＝２５．０％となる。
＜点灯モードＭ８を選択した場合＞
制御装置ＣＮは、１系統の電源線Lp1のみを給電状態(ＯＮ)とし、３系統の電源線Lp2〜Lp4を非給電状態(OFF)とし、且つ何れか１系統の信号線Ls1又はLs2のみに調光指令(励磁電流)を出力する。この場合、照明器具Ａ１，Ａ５，…は、電源線Lp2が非給電状態であるためにリレー接点４Ａ，４Ｂが開成(オフ)せず、上記調光指令に応じて調光レベル５０％で調光点灯する。一方、電源線Lp2〜Lp4から給電される照明器具Ａ２，Ａ３，Ａ４，Ａ６，Ａ７，Ａ８，…が消灯する。つまり、点灯モードＭ８では、４分の１の照明器具Ａ１，Ａ５，…が調光レベル５０％で調光点灯し、４分の３の照明器具Ａ２，Ａ３，Ａ４，Ａ６，Ａ７，…が消灯するので、入口部照明全体の調光レベルが(５０％×１)÷４＝１２．５％となる。
【００３０】
而して、各照明器具Ａｎが切換部を備えない場合、１つの点灯モードにおいて、定格点灯の照明器具Ａｎと調光レベル５０％の調光点灯の照明器具Ａｎを混在させることができないので、入口部照明全体の調光レベルを５通り(100%、75%、50%、25%、0%)しか選択できない。
【００３１】
これに対して本実施形態では、各照明器具Ａｎが給電用の電源線を除く別系統の電源線と接続され、前記別系統の電源線における給電状況に応じて調光指令を無効とするように構成されるので、入口部照明全体の調光レベルを８通りに増やすことができる。しかも、調光指令の有効・無効を電源線Lpiの給電状況によって制御装置ＣＮから各照明器具Ａｎに伝達しているので、調光指令用の信号線Ls1，Ls2の他に信号線を配線する必要が無い。しかも、特許文献１記載の従来例と比較して、各照明器具Ａｎに通信インタフェースを搭載する必要が無く、且つ各照明器具Ａｎにアドレスを割り当てる作業も不要であるから、コストの削減と施工作業の簡素化を図ることができる。なお、入口部照明全体の調光レベルを８通りに増やすことにより、調光レベルが５通りの場合と比較して、不要な電力消費を削減することができるという利点もある。
【符号の説明】
【００３２】
Ａｎ  照明器具
ＣＮ  制御装置
Ｂ  野外輝度計
Lp1〜Lp4  電源線
Ls1，Ls2  信号線
【図１】
2014137867.tif 000003
【図２】
2014137867.tif 000004
【図３】
2014137867.tif 000005
【図４】
2014137867.tif 000006
【図５】
2014137867.tif 000007